(57)【要約】【課題】表示手段を大型化しても、構造を複雑にすることなく、操作性を向上できる撮像装置を提供する。【解決手段】デジタルカメラ１の背面には、液晶パネル４、およびこの液晶パネル４の一辺に沿って線状に配置されたタッチセンサ５が設けられている。液晶パネル４の右側には、ユーザがタッチセンサ５から入力する際の入力項目Ａ，Ｂ，Ｃ，Ｄが表示されている。タッチセンサ５の反応領域は、液晶パネル４に表示された入力項目Ａ，Ｂ，Ｃ，Ｄにそれぞれ対応するように、４つの反応領域５ａ、５ｂ、５ｃ、５ｄに分割されている。ユーザが希望する入力項目の右に位置する反応領域を押すことで、ユーザによって選択された入力項目が検出される。【選択図】図２
2008306363.tif 000002
【特許請求の範囲】
【請求項１】
撮像手段により得られた被写体画像を表示する表示手段を備えた撮像装置において、
前記表示手段の少なくとも一辺に対向して複数の入力可能な領域を有する入力装置が配置され、前記入力装置が隣接する前記表示手段に、前記複数の入力可能な領域にそれぞれ対応する複数の入力項目が表示されるとともに、前記複数の入力可能な領域の範囲および前記複数の入力項目の表示形態は可変であることを特徴とする撮像装置。
【請求項２】
前記可変である複数の入力可能な領域の範囲および前記複数の入力項目の表示形態はそれぞれの幅であることを特徴とする請求項１記載の撮像装置。
【請求項３】
ユーザの指示を受け付ける受付手段と、
前記受け付けたユーザの指示に従って、前記入力項目の表示形態および前記入力可能な領域の範囲を変更する変更手段とを備えたことを特徴とする請求項１記載の撮像装置。
【請求項４】
前記入力装置は、前記少なくとも一辺に沿って線状に配置されたことを特徴とする請求項１記載の撮像装置。
【請求項５】
前記入力装置は、前記表示手段の隣り合う２辺に沿ってＬ字状に配置されたことを特徴とする請求項１記載の撮像装置。
【請求項６】
前記Ｌ字状に配置された前記入力装置の、略直交した位置にある２つの前記入力可能な領域が指示されることによって特定される位置が前記表示手段によって表示される被写体の合焦位置であることを特徴とする請求項５記載の撮像装置。
【請求項７】
前記入力装置は、前記表示手段が配置された面に隣接する面に配置されたことを特徴とする請求項１記載の撮像装置。
【請求項８】
前記入力装置は、前記入力可能な領域が中心から放射状に分割された円状に配置され、前記表示手段には、前記入力可能な領域に対応した形状の入力項目が表示されたことを特徴とする請求項１記載の撮像装置。
【請求項９】
撮影に関する前記入力項目および前記入力可能な領域の幅は、他の前記入力項目および入力可能な領域の幅に比べて広く設定されることを特徴とする請求項２記載の撮像装置。
【請求項１０】
撮像手段により得られた被写体画像を表示する表示手段と、前記表示手段の少なくとも一辺に対向して配置され、複数の入力可能な領域を有する入力装置とを備えた撮像装置の入力設定方法であって、
前記入力装置が隣接する前記表示手段に、当該入力装置の前記複数の入力可能な領域にそれぞれ対応する複数の入力項目を表示する入力項目表示ステップと、
前記複数の入力可能な領域の範囲および前記複数の入力項目の表示形態を変更する変更ステップとを有することを特徴とする入力設定方法。
【請求項１１】
撮像手段により得られた被写体画像を表示する表示手段と、前記表示手段の少なくとも一辺に対向して配置され、複数の入力可能な領域を有する入力装置とを備えた撮像装置の入力設定方法をコンピュータに実行させるプログラムであって、
前記入力設定方法は、
前記入力装置が隣接する前記表示手段に、当該入力装置の前記複数の入力可能な領域にそれぞれ対応する複数の入力項目を表示する入力項目表示ステップと、
前記複数の入力可能な領域の範囲および前記複数の入力項目の表示形態を変更する変更ステップとを有することを特徴とするプログラム。
【請求項１２】
請求項１１記載のプログラムを格納することを特徴とするコンピュータで読み取り可能な記憶媒体。
【発明の詳細な説明】
【技術分野】
【０００１】
本発明は、撮像手段により得られた被写体画像を表示する表示手段を備えた撮像装置及びその入力設定方法に関する。
【背景技術】
【０００２】
近年、撮像装置として、ＣＣＤ等の撮像素子で被写体を撮影し、記録および再生を行うデジタルカメラが普及している。デジタルカメラでは、小型化、薄型化が進んでおり、携帯性が向上している。
【０００３】
デジタルカメラの背面には、撮影画像を再生して表示したり、ビューファインダとして機能する液晶パネル等の表示部が設けられており、この表示部は年々大型化している。また、デジタルカメラの背面には、表示部以外に操作スイッチ等の入力部が設けられている。ユーザは操作スイッチを介してデジタルカメラにコマンドを入力する。
【０００４】
デジタルカメラの小型化、薄型化および液晶パネルの大型化により、デジタルカメラの背面に占める液晶パネルの領域は益々広がっており、操作スイッチを配置するスペースが無くなってきている。
【０００５】
これに対し、従来では、液晶パネルをデジタルカメラ本体に対してスライド自在とし、液晶パネルの側面に回転自在なグリップを設けたものが知られている（特許文献１参照）。
【０００６】
また、従来では、液晶パネルがカメラ本体から起立し、液晶パネルの上面に設けられたタッチセンサをズームや再生画像のコマ送り／戻しに用いるデジタルカメラが知られている（特許文献２参照）。
【特許文献１】特開２００６−１１３１７４号公報
【特許文献２】特開２００５−１９７９６５号公報
【発明の開示】
【発明が解決しようとする課題】
【０００７】
しかしながら、上記従来の前者の撮像装置では、スライド機構を有するデジタルカメラの構造が複雑になり、故障の原因となっていた。また、スライド機構によりデジタルカメラの厚みが増していた。
【０００８】
また、上記従来の後者の撮像装置では、液晶パネルをカメラ本体から起立させたものであり、同様にデジタルカメラの構造が複雑であった。また、入力項目を選択する際にはタッチパネル以外のスイッチ操作を必要とし、操作が煩わしかった。
【０００９】
そこで、本発明は、表示手段を大型化しても、構造を複雑にすることなく、操作性を向上できる撮像装置及びその入力設定方法を提供することを目的とする。
【課題を解決するための手段】
【００１０】
上記目的を達成するために、本発明の撮像装置は、撮像手段により得られた被写体画像を表示する表示手段を備えた撮像装置において、前記表示手段の少なくとも一辺に対向して複数の入力可能な領域を有する入力装置が配置され、前記入力装置が隣接する前記表示手段に、前記複数の入力可能な領域にそれぞれ対応する複数の入力項目が表示されるとともに、前記複数の入力可能な領域の範囲および前記複数の入力項目の表示形態は可変であることを特徴とする。
【００１１】
本発明の撮像装置の入力設定方法は、撮像手段により得られた被写体画像を表示する表示手段と、前記表示手段の少なくとも一辺に対向して配置され、複数の入力可能な領域を有する入力装置とを備えた撮像装置の入力設定方法であって、前記入力装置が隣接する前記表示手段に、当該入力装置の前記複数の入力可能な領域にそれぞれ対応する複数の入力項目を表示する入力項目表示ステップと、前記複数の入力可能な領域の範囲および前記複数の入力項目の表示形態を変更する変更ステップとを有することを特徴とする。
【００１２】
本発明のプログラムは、撮像手段により得られた被写体画像を表示する表示手段と、前記表示手段の少なくとも一辺に対向して配置され、複数の入力可能な領域を有する入力装置とを備えた撮像装置の入力設定方法をコンピュータに実行させるプログラムであって、前記入力設定方法は、前記入力装置が隣接する前記表示手段に、当該入力装置の前記複数の入力可能な領域にそれぞれ対応する複数の入力項目を表示する入力項目表示ステップと、前記複数の入力可能な領域の範囲および前記複数の入力項目の表示形態を変更する変更ステップとを有することを特徴とする。
【発明の効果】
【００１３】
本発明の撮像装置によれば、例えば、細かい操作の得意なユーザは表示手段に一度に表示できる入力項目の数を増やして操作性を向上でき、細かい操作の苦手なユーザは各項目を大きく表示して操作ミスを防ぐことができる。また、表示手段を大型化しても、構造を複雑にすることなく、操作性を向上できる。よって、大型の表示手段を備えた、操作性の良い撮像装置を提供することができる。
【発明を実施するための最良の形態】
【００１４】
本発明の撮像装置及びその入力設定方法の実施の形態について図面を参照しながら説明する。本実施形態の撮像装置はデジタルカメラに適用される。
【００１５】
［第１の実施形態］
図１は第１の実施形態におけるデジタルカメラの外観を示す斜視図である。デジタルカメラ１はカード型の筐体２０を有する。筐体２０の前面には、鏡筒ユニット２２、これに取り付けられた撮影レンズ２１およびストロボ２３が設けられている。また、筐体２０の上面には、パワーボタン２およびレリーズボタン３が設けられている。パワーボタン２はデジタルカメラ１の電源ＯＮ／ＯＦＦを行う。レリーズボタン３は半押しと全押しの２段階押し込み可能な構造になっている。半押し操作で、ＡＦおよびＡＥをロックし、全押し操作で撮影画像の取り込みが行われる。
【００１６】
図２はデジタルカメラ１の背面を示す図である。デジタルカメラ１の背面には、液晶パネル４、およびこの液晶パネル４の一辺に沿って（対向して）線状に配置されたタッチセンサ５が設けられている。
【００１７】
本実施形態では、デジタルカメラ１の小型化・薄型化および液晶パネル４の大型化により、デジタルカメラ１の背面に占める液晶パネル４の領域が広く、額縁部分が非常に狭くなっている。液晶パネル４は、再生モードで撮影した被写体画像を表示し、撮影モードでビューファインダとして被写体を表示する。
【００１８】
また、タッチ式入力装置であるタッチセンサとして、一般的に感圧式や静電容量式などのものが知られているが、本実施形態では、感圧式のタッチセンサが搭載されている。タッチセンサ５の反応位置は長手方向に細かく分割されている。タッチセンサ５は、ユーザからの押圧を検出し、押圧を受けた位置をデジタルカメラ１の後述する制御部３１（図３参照）に出力する。
【００１９】
図３はデジタルカメラ１の電気的構成を示すブロック図である。デジタルカメラ１は、制御部３１、撮影駆動部３２、照明制御部３３、撮像信号処理部３４、ディスプレイ制御部３５、操作部３６、画像メモリ３９等がバス３７を介して接続された構成を有する。制御部３１はＣＰＵ、記憶媒体（ＲＯＭ、ＲＡＭ等）３１ａを有し、記憶媒体３１ａに格納された制御プログラムに従って、デジタルカメラ１の各部の動作を制御する。また、記憶媒体３１ａには、制御プログラムの他、後述する入力項目配置情報や反応領域分割情報が記憶されている。撮影駆動部３２は、撮影レンズ２１を駆動して合焦動作を行うとともに、ＣＣＤ３８等を駆動して撮像動作を行う。照明制御部３３にはストロボ２３が接続されており、照明制御部３３はストロボ２３の発光を制御する。撮像信号処理部３４はＣＣＤ３８から出力されるアナログ信号を処理する。ディスプレイ制御部３５には液晶ディスプレイ（液晶パネル）４が接続されており、ディスプレイ制御部３５は液晶ディスプレイ４の表示を制御する。操作部３６は、タッチセンサ５、レリーズボタン３等を有し、これらの操作を制御部３１に出力する。画像メモリ３９には、撮像信号処理部３４で画像処理が施された被写体画像の画像データが記憶される。
【００２０】
上記構成を有するデジタルカメラ１では、撮像レンズ２１を通過した被写体像はＣＣＤ３８の受光面に結像し、結像した被写体像の光量に応じた量の電荷が蓄積される。撮像信号処理部３４は、ＣＣＤ３８から出力されたアナログ信号をＲ，Ｇ，Ｂ成分に分解し、ホワイトバランス調整やガンマ補正を行い、必要なタイミングでＲ，Ｇ，Ｂ信号を順次Ａ／Ｄ変換し、得られたデジタル画像データを制御部３１に出力する。ストロボ２３は被写体の光量が不足したときに補助光として発光する。
【００２１】
また、液晶パネル４の表示部の右側には、ユーザがタッチセンサ５から入力する際の複数の入力項目が表示される。図２では、入力項目の表示形態として、矩形を有する４つの入力項目Ａ，Ｂ，Ｃ，Ｄが表示されている。タッチセンサ５の反応領域は、液晶パネル４に表示された入力項目Ａ，Ｂ，Ｃ，Ｄにそれぞれ対応するように、４つの反応領域（入力可能な領域）５ａ、５ｂ、５ｃ、５ｄに分かれている。ユーザが希望する入力項目の右に位置するタッチセンサ部（反応領域）を押すことで、ユーザによって選択された入力項目が検出される。ここで、反応領域の分割数や範囲、および複数の入力項目の数、形状、大きさ等の表示形態は、可変自在である。
【００２２】
図４はデジタルカメラの設定処理手順を示すフローチャートである。この処理プログラムは、制御部３１内の記憶媒体３１ａに格納されており、制御部３１内のＣＰＵによって実行される。まず、制御部３１は、記憶媒体３１ａに記憶されている入力項目配置情報を取得する（ステップＳ１）。制御部３１は、取得した入力項目配置情報に従って、液晶パネル４に入力項目を表示する（ステップＳ２、入力項目表示ステップ）。この処理により、液晶パネル４には、前述した入力項目Ａ，Ｂ，Ｃ，Ｄが表示される。さらに、制御部３１は、タッチセンサ５の反応領域を、液晶パネル４に表示された各入力項目に対応するように、分割する（ステップＳ３）。ここでは、タッチセンサ５の反応領域は、入力項目Ａ，Ｂ，Ｃ，Ｄにそれぞれ対応した４つの領域（タッチセンサ部）５ａ、５ｂ、５ｃ、５ｄに分割される。この反応領域分割情報は記憶媒体３１ａに登録される。この後、本処理を終了する。
【００２３】
図５はデジタルカメラの操作処理手順を示すフローチャートである。この処理プログラムは、制御部３１内の記憶媒体３１ａに格納されており、制御部３１内のＣＰＵによって繰り返し実行される。まず、制御部３１は、タッチセンサ５が押下されたか否かを判別する（ステップＳ１１）。押下されていない場合、そのまま本処理を終了する。
【００２４】
一方、タッチセンサ５が押下されている場合、制御部３１は、タッチセンサ５の押下（入力）位置を検出し、記憶媒体３１ａに登録された反応領域分割情報を基に、押下位置に対応する反応領域（タッチセンサ部）を取得する（ステップＳ１２）。制御部３１は、取得した反応領域に対応する入力項目の処理を行う（ステップＳ１３）。この後、本処理を終了する。
【００２５】
このように、第１の実施形態のデジタルカメラでは、タッチセンサが液晶パネルの一辺に沿って線状に配置され、タッチセンサの反応領域に対応する入力項目が隣接する液晶パネルに表示される。これにより、タッチセンサの占める面積を小さくすることができ、液晶パネルを大型化しても、構造を複雑にすることなく、操作性を向上できる。よって、大型の液晶パネルが配置され、操作性の良い、小型化・薄型化されたデジタルカメラを提供することができる。
【００２６】
［第２の実施形態］
第２の実施形態では、液晶ディスプレイの入力項目の幅およびタッチセンサ部（反応領域）の幅を変更する場合を示す。第２の実施形態のデジタルカメラの構成は前記第１の実施形態と同様であるので、同一の符号を用いることでその説明を省略する。
【００２７】
図６は第２の実施形態における入力項目変更処理手順を示すフローチャートである。この処理プログラムは、制御部３１内の記憶媒体３１ａに格納されており、制御部３１内のＣＰＵによって繰り返し実行される。まず、制御部３１は、操作部３６を介してユーザからの入力項目の変更指示を受け付けたか否かを判別する（ステップＳ２１）。入力項目の変更指示を受け付けていない場合、そのまま本処理を終了する。一方、ユーザからの入力項目の変更指示を受け付けた場合（受付手段に相当）、制御部３１は、操作部３６を介してユーザから指示された入力項目に関する情報を取得する（ステップＳ２２）。この入力項目に関する情報の指示は、例えば、入力項目数、各入力項目の内容等を入力することで行われる。制御部３１は、指示された入力項目に関する情報を基に、記憶媒体３１ａに登録された入力項目配置情報を変更する（ステップＳ２３）。この後、本処理を終了する。なお、入力項目配置情報を用いて行われる、液晶パネル４に表示される入力項目の設定およびタッチセンサ５の反応領域の分割は、前記第１の実施形態と同様である。
【００２８】
図７は液晶ディスプレイの入力項目およびタッチセンサ部のカスタマイズが行われたデジタルカメラの背面を示す図である。このデジタルカメラでは、６等分の入力項目Ｅ，Ｆ，Ｇ，Ｈ，Ｉ，Ｊに変更されている。また、タッチセンサ５の反応領域は、各入力項目に対応する、６つの反応領域（タッチセンサ部）５ｅ，５ｆ，５ｇ，５ｈ，５ｉ，５ｊに分割されている。
【００２９】
このように、第２の実施形態のデジタルカメラによれば、液晶ディスプレイの入力項目およびタッチセンサの反応領域（タッチセンサ部）のカスタマイズを、ユーザの好みに合わせて行うことができる。これにより、より一層操作性を向上させることができる。例えば、細かい操作の得意なユーザは、液晶パネルに一度に表示できる入力項目の数を増やして操作性を向上でき、細かい操作の苦手なユーザは各項目を大きく表示して操作ミスを防ぐことができる。
【００３０】
なお、ここでは、入力項目の幅が均等である場合を示したが、入力項目配置情報の指示を変更することにより、ユーザは入力項目の幅を任意に変更することも可能である。図８は入力項目の幅が任意に変更されたデジタルカメラの背面を示す図である。例えば、一瞬のシャッタチャンスでは、撮影に係わる感度変更などの操作によって、操作ミスを犯してはならない。そこで、図８では、感度変更（ＩＳＯ）の入力項目の幅およびタッチセンサ５の反応領域５ｎは、他の入力項目Ｋ，Ｌ，Ｍ，Ｏの幅およびタッチセンサ５の反応領域５ｋ，５ｌ，５ｍ，５ｏに比べて広く設定されている。これにより、押し間違いなどの誤操作を防ぐことができる。
【００３１】
［第３の実施形態］
図９は第３の実施形態におけるデジタルカメラの背面を示す図である。前記第１の実施形態と同一の構成要素には同一の符号が付されている。このデジタルカメラでは、タッチセンサ５５が液晶パネル５４の下辺および右辺からなる２辺に沿ってＬ字状に配置されている。また、液晶パネル５４には、複数の入力項目がタッチセンサ５５の各反応領域に隣接して表示されている。即ち、入力項目Ｐ，Ｑ，Ｒ，Ｓ，Ｔ，Ｕ，Ｖは、それぞれタッチセンサ５５の反応領域５５ｐ，５５ｑ，５５ｒ，５５ｓ，５５ｔ，５５ｕ，５５ｖに対応している。また、前記第１の実施形態と同様、ユーザは入力項目の幅を任意に変更可能である。
【００３２】
また、このデジタルカメラでは、撮影中、ユーザが液晶パネル５４に表示された被写体から合焦位置を任意に指定できるモードを有する。この合焦位置指定モードでは、ユーザがタッチセンサ５５の略直交した位置にある反応領域の２点を押すことで、液晶パネル５４内の任意の位置が二次元的に指定（特定）可能である。図１０は合焦位置を指定する際のデジタルカメラの背面を示す図である。ユーザは、被写体が表示された液晶パネル５４上の座標（ｘ，ｙ）に合焦させたい場合、タッチセンサ５５の横方向（ｘ方向）の反応領域５５ｘおよび縦方向（ｙ方向）の反応領域５５ｙの２点を押すことで、合焦位置が指定（特定）される。デジタルカメラ１内の撮影駆動部３２は座標（ｘ，ｙ）が合焦位置となるように合焦動作を行う。
【００３３】
図１１は合焦位置指定手順を示すフローチャートである。この処理プログラムは、制御部３１内の記憶媒体３１ａに格納されており、合焦位置指定モードが選択された場合、制御部３１内のＣＰＵによって実行される。まず、制御部３１は、タッチセンサ５５の横方向の反応領域５５ｘが押下されるまで待つ（ステップＳ３１）。横方向の反応領域５５ｘが押下されると、制御部３１は、その押下位置をｘ座標として取得する（ステップＳ３２）。
【００３４】
続いて、制御部３１は、タッチセンサ５５の縦方向の反応領域５５ｙが押下されるまで待つ（ステップＳ３３）。縦方向の反応領域５５ｙが押下されると、制御部３１は、その押下位置をｙ座標として取得する（ステップＳ３４）。制御部３１は、取得した座標（ｘ，ｙ）を被写体の合焦位置に特定する（ステップＳ３５）。この後、本処理を終了する。合焦位置が特定されると、撮影駆動部３２により合焦動作が行われる。
【００３５】
このように、第３の実施形態のデジタルカメラによれば、入力項目の数が多い場合でも、入力操作が簡単である。また、従来の液晶パネル上にタッチパネルを重ねて配置する場合に比べ、液晶パネルの表示品位を損ねることなく液晶パネル内の位置を入力できる。従って、被写体に対する合焦位置の指定が容易となる。
【００３６】
［第４の実施形態］
図１２は第４の実施形態におけるデジタルカメラの背面を示す斜視図である。前記第１の実施形態と同一の構成要素には同一の符号が付されている。第４の実施形態のデジタルカメラでは、その上面にタッチセンサ６５が配置されている。タッチセンサ６５に対応する液晶パネル６４の上部には、複数の入力項目が表示されている。即ち、タッチセンサ６５の反応領域６５ｗ，６５ｘ，６５ｙ，６５ｚは、入力項目Ｗ，Ｘ，Ｙ，Ｚにそれぞれ対応するように分割されている。
【００３７】
第４の実施形態のデジタルカメラによれば、デジタルカメラの背面には、液晶パネルしか配置されないので、液晶パネルの大型化がより一層可能であり、表示領域が広く視認性が高くなる。なお、本実施形態では、タッチセンサはデジタルカメラの上面に配置されたが、左側面、右側面あるいは底面に配置されてもよい。
【００３８】
［第５の実施形態］
図１３は第５の実施形態における撮影モード時のデジタルカメラの背面を示す図である。前記第１の実施形態と同一の構成要素には同一の符号が付されている。液晶パネル４の右側には、タッチセンサ７５が円状に配置されている。一方、液晶パネル４には、タッチセンサ７５と対向して入力項目７４が表示されている。タッチセンサ７５の反応領域は、タッチセンサの中心から放射状に分かれている。撮影モードでは、タッチセンサ７５の反応領域７５ａ〜７５ｄは４分割されており、それぞれの領域に対応した形状の入力項目７４の部分である項目７４ａ〜７４ｄが割り当てられている。
【００３９】
図１４は再生モード時のデジタルカメラの背面を示す図である。再生モードでは、タッチセンサ７５の反応領域８５ａ〜８５ｈは８分割されており、それぞれ液晶パネル４に表示される入力項目８４の部分である８方向の移動指示（カーソル）８４ａ〜８４ｈに対応している。ユーザは、タッチセンサ７５の各反応領域を押下することで、液晶パネル４内の拡大された表示を８方向に移動自在である。
【００４０】
第５の実施形態のデジタルカメラによれば、４方向の移動と比較して移動の自由度が高く、操作性に優れる。
【００４１】
なお、本発明は、上記実施形態の構成に限られるものではなく、特許請求の範囲で示した機能、または本実施形態の構成が持つ機能が達成できる構成であればどのようなものであっても適用可能である。
【００４２】
例えば、上記各実施形態では、表示装置として液晶ディスプレイを用いたが、ＬＥＤ、有機ＥＬディスプレイ、表面伝導型電子放出素子ディスプレイ（ＳＥＤ）等を用いてもよい。また、入力装置として、タッチセンサが用いられた場合を示したが、キースイッチ等を用いてもよい。
【００４３】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００４４】
この場合、記憶媒体から読み出されたプログラムコード自体が前述した実施の形態の機能を実現することになり、そのプログラムコード及び該プログラムコードを記憶した記憶媒体は本発明を構成することになる。
【００４５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００４６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００４７】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００４８】
【図１】第１の実施形態におけるデジタルカメラの外観を示す斜視図である。
【図２】デジタルカメラ１の背面を示す図である。
【図３】デジタルカメラ１の電気的構成を示すブロック図である。
【図４】デジタルカメラの設定処理手順を示すフローチャートである。
【図５】デジタルカメラの操作処理手順を示すフローチャートである。
【図６】第２の実施形態における入力項目変更処理手順を示すフローチャートである。
【図７】液晶ディスプレイの入力項目およびタッチセンサ部のカスタマイズが行われたデジタルカメラの背面を示す図である。
【図８】入力項目の幅が任意に変更されたデジタルカメラの背面を示す図である。
【図９】第３の実施形態におけるデジタルカメラの背面を示す図である。
【図１０】合焦位置を指定する際のデジタルカメラの背面を示す図である。
【図１１】合焦位置指定手順を示すフローチャートである。
【図１２】第４の実施形態におけるデジタルカメラの背面を示す斜視図である。
【図１３】第５の実施形態における撮影モード時のデジタルカメラの背面を示す図である。
【図１４】再生モード時のデジタルカメラの背面を示す図である。
【符号の説明】
【００４９】
１、６１、７１  デジタルカメラ
４、５４  液晶ディスプレイ（液晶パネル）
５、５５、６５、７５  タッチセンサ
５ａ〜５ｊ  反応領域
３１  制御部
７４、８４  入力項目
【図１】
2008306363.tif 000003
【図２】
2008306363.tif 000004
【図３】
2008306363.tif 000005
【図４】
2008306363.tif 000006
【図５】
2008306363.tif 000007
【図６】
2008306363.tif 000008
【図７】
2008306363.tif 000009
【図８】
2008306363.tif 000010
【図９】
2008306363.tif 000011
【図１０】
2008306363.tif 000012
【図１１】
2008306363.tif 000013
【図１２】
2008306363.tif 000014
【図１３】
2008306363.tif 000015
【図１４】
2008306363.tif 000016